(57)【要約】    【課題】ファイル背表紙が書棚前面に整列する書棚用スペーサーの提供。    【解決手段】書棚用スペーサー８は、起立する２枚の側面プレート１０と背板１２とを備えている。この書棚用スペーサー８は書棚４に立てられたとき、奥側における幅Ｗ１が、手前側における幅Ｗ２よりも大きくなるよう構成されている。この構成により、書棚用スペーサー８が用いられて、ファイル２が隙間なく書棚４に収納された状態で、ファイル２の背表紙面は書棚前面に一列に整列する。さらにブックエンド６とファイル２が面で接触されうるので、ファイル２は安定に起立できる。書棚用スペーサーは、２枚の側面プレート間に位置し、側面プレート間の幅が広げられる方向に付勢する弾性体をさらに備えてもよい。書棚用スペーサーは、その底部に脚板をさらに備えてもよい。【選択図】図３
2006068271.tif 000002
【特許請求の範囲】
【請求項１】
起立する２枚の側面プレートを備えており、
書棚に立てられたとき、奥側における幅Ｗ１が手前側における幅Ｗ２よりも大きな書棚用スペーサー。
【請求項２】
上記２枚の側面プレート間に位置して側面プレート間の幅を広げる方向に付勢する弾性体をさらに備えた請求項１に記載の書棚用スペーサー。
【請求項３】
その底部に脚板を備えている請求項１又は２に記載の書棚用スペーサー。
【発明の詳細な説明】
【技術分野】
【０００１】
本発明は書棚に収納されるファイルの整列に用いられる書棚用スペーサーに関する。
【背景技術】
【０００２】
作成又は入手によって、例えば事務所では書類が多量に発生する。発生した書類は、内容に応じて分類される。この書類は、ファイルに綴じられる。ファイルの背表紙には、綴じられている書類の内容が表された題目が記載される。このファイルが、書棚に収納される。ファイルの背表紙に記された題目から、ファイルに綴じられている書類の内容が明らかとなる。
【発明の開示】
【発明が解決しようとする課題】
【０００３】
書類が綴じられるファイルの背表紙幅は、書類の量によらず既定である。したがって、ファイルに綴じられる書類の厚みがファイルの背表紙幅に至らない場合がある。この場合、収納方向奥側におけるファイルの幅は、背表紙幅よりも小さくなる。
【０００４】
図６（ａ）は、従来の方法でファイル２が書棚４に収納されている状況が示された平面図である。ブックエンド６が用いられて、ファイル２が書棚４に隙間なく収納されている。収納方向奥側における幅が、背表紙幅よりも小さいファイル２が収納されると、ファイル２の背表紙面は、収納奥側が中心とされた扇形に並ぶ。その結果、ファイル２の背表紙面に記載されているファイル２の題目は書棚４の前面から見えなくなり、ファイル２に綴じられている書類の内容把握が困難となる。
【０００５】
図６（ｂ）は、ブックエンド６が用いられて、ファイル２の背表紙面が書棚４の前面に一列に並べられたときの、ブックエンド６とファイル２の配置状況が示された平面図である。ブックエンド６とファイル２は線で接しており、その間には大きな隙間が形成されている。書棚４に収納されたファイル２は安定に起立できず、横に倒れる事が懸念される。
【０００６】
本発明の目的は、書棚に収納されるファイルが安定に起立され、その背表紙面を書棚前面に整列せしめる書棚用スペーサーの提供にある。
【課題を解決するための手段】
【０００７】
本発明に係る書棚用スペーサーは、起立する２枚の側面プレートを備える。この書棚用スペーサーは書棚に立てられたとき、奥側における幅Ｗ１が手前側における幅Ｗ２よりも大きくなるよう構成されている。
【０００８】
好ましくは、書棚用スペーサーは、上記２枚の側面プレート間に位置し、プレート間の幅を広げる方向に付勢する弾性体をさらに備える。
【０００９】
好ましくは、書棚用スペーサーは、その底部に脚板をさらに備える。
【発明の効果】
【００１０】
この書棚用スペーサーは、書棚前面に、収納されるファイルの背表紙面を整列させうる。さらに、書棚用スペーサーが書棚に形成される隙間を埋めるので、ファイルは安定に起立できる。
【発明を実施するための最良の形態】
【００１１】
以下、適宜図面が参照されつつ、好ましい実施形態に基づいて本発明が詳細に説明される。
【００１２】
図１は、本発明の一実施形態に係る書棚用スペーサー８が示された斜視図である。図２は、図１の書棚用スペーサー８が示された平面図である。この書棚用スペーサー８は、２つの側面プレート１０と背板１２とを備えている。図２中のＷ１は書棚の奥側における幅であり、Ｗ２は書棚の手前側における幅である。書棚用スペーサー８の奥側における幅Ｗ１は、手前側における幅Ｗ２よりも大きい。
【００１３】
図３は、図１の書棚用スペーサー８が用いられて、ファイル２が隙間なく書棚４に収納されている状況が示された平面図である。ファイル２の背表紙面は、図６（ａ）のように扇形に並ぶのではなく、書棚４の前面に一列に並ぶ。さらに、図６（ｂ）の場合と異なり、ファイル２の背表紙面が書棚４の前面に一列に並べられている状態でも、ブックエンド６とファイル２が面で接触されうるので、ファイル２は安定に起立できる。
【００１４】
ファイル２の背表紙面が書棚４の前面に並べられやすくなるという観点から、奥側における幅Ｗ１と手前側における幅Ｗ２の差が、１０ｍｍ以上あれば好ましい。書棚４の前面にファイル２の背表紙面がさらに並べられやすくなるという観点及び書棚用スペーサー８の起立に対する安定性が増すという観点から、奥側における幅Ｗ１と手前側における幅Ｗ２の差が、２０ｍｍ以上あればさらに好ましい。奥側における幅Ｗ１と手前側における幅Ｗ２の差は、２００ｍｍ以下が好ましい。扱いやすさの観点から、奥側における幅Ｗ１と手前側における幅Ｗ２の差は、１００ｍｍ以下であればさらに好ましい。
【００１５】
２つの側面プレート１０と背板１２とは、同一の材質であっても異なる材質であってもよい。材質としては、金属材料、合成樹脂及び紙材料の何れでもよい。金属材料に比べて、軽量でしかも安価であるという観点から、合成樹脂及び紙材料が好ましい。加工しやすいという観点から紙材料が好ましく、その中でも再生材料として入手しやすいダンボール材料がさらに好ましい。
【００１６】
図４は、本発明の他の実施形態に係る書棚用スペーサー１４が示された平面図である。この書棚用スペーサー１４は、起立する２枚の側面プレート１６と弾性体としてのコイルスプリング１８とを備えている。
【００１７】
コイルスプリング１８は、２枚の側面プレート１６に連結されている。コイルスプリング１８は、２枚の側面プレート１６の間の幅が広げられる方向に、側面プレート１６を付勢する。書棚にファイルが収納されるとき、書棚用スペーサー１４には、側面プレート１６の間の幅が狭められる方向に力が作用する。ファイルの収納量が増えると、書棚用スペーサー１４に作用する力は大きくなる。その力に応じて、コイルスプリング１８は側面プレート１６の間の幅を変化せしめる。書棚用スペーサー１４は、ファイルの収納量に応じて、ファイルと書棚用スペーサー１４の間に形成される隙間が最小となるよう、側面プレート１６の間の幅を変えることができる。コイルスプリング１８は、側面プレート１６の間の幅が広げられる方向に側面プレートを付勢でき、作用している力に応じて変形できうればよく、その形状及び材質は特に限定されない。
【００１８】
図５は、本発明のさらに他の実施形態に係る書棚用スペーサー２０が示された斜視図である。書棚用スペーサー２０は、２枚の側面プレート２２と背板２４と脚板２６とを備えている。
【００１９】
脚板２６は２枚の側面プレート２２に連結されている。書棚にファイルが収納されると、この脚板２６の上にファイルが載る。脚板２６の上のファイルの重みが、書棚用スペーサー２０の浮き上がりを防止する。ここに使用される脚板２６は、書棚用スペーサー２０の浮き上がりが防止できうればよく、その形状は特に限定されない。
【００２０】
脚板２６の材質は、側面プレート２２又は背板２６と同一の材質であっても異なる材質であってもよい。材質としては、金属材料、合成樹脂及び紙材料の何れでもよい。金属材料に比べて、軽量でしかも安価であるという観点から、合成樹脂及び紙材料が好ましい。加工しやすいという観点から紙材料が好ましく、その中でも再生材料として入手しやすいダンボール材料がさらに好ましい。
【産業上の利用可能性】
【００２１】
本発明に係る書棚用スペーサーは、ファイルが収納される書棚に適用されうる。本発明に係る書棚用スペーサーは、書棚以外にファイル収納に用いられるファイルボックスにも適用できる。
【図面の簡単な説明】
【００２２】
【図１】図１は、本発明の一実施形態に係る書棚用スペーサーが示された斜視図であ    る。
【図２】図２は、図１の書棚用スペーサーが示された平面図である。
【図３】図３は、図１の書棚用スペーサーの用いられた様子が示された平面図である    。
【図４】図４は、本発明の他の実施形態に係る書棚用スペーサーの平面図である。
【図５】図５は、本発明のさらに他の実施形態に係る書棚用スペーサーが示された斜    視図である。
【図６】図６は、従来の方法でファイルが書棚に収納されている状況が示された平面図である。
【符号の説明】
【００２３】
２・・・ファイル
４・・・書棚
６・・・ブックエンド
８、１４、２０・・・書棚用スペーサー
１０、１６、２２・・・側面プレート
１２、２４・・・背板
１８・・・コイルスプリング
２６・・・脚板
【図１】
2006068271.tif 000003
【図２】
2006068271.tif 000004
【図３】
2006068271.tif 000005
【図４】
2006068271.tif 000006
【図５】
2006068271.tif 000007
【図６】
2006068271.tif 000008